(57)【特許請求の範囲】
【請求項１】
カメラ側装置とカメラ側装置に映像信号伝送ケーブルを介して接続される通信機器とを備え、通信機器は、カメラ側装置から映像信号ケーブルに送出される映像信号の垂直ブランキング期間内の所定の連続する複数の水平期間それぞれに通信データを重畳することによって、カメラ側装置に通信データを送信する通信システムにおいて、
カメラ側装置は、映像信号伝送ケーブルに送出されている映像信号の同期信号を検出する同期信号検出手段、通信データをデコードするためのデコード手段、同期信号検出手段によって通信データが重畳される最初の水平期間に対する水平同期信号が検出されてから所定時間経過後に、デコード手段に最初の通信データのデコードを開始させる手段、および２番目以降の通信データについては、その前の通信データのデコードを開始した時点から、上記映像信号の１水平期間が経過した後に、デコード手段にデコードを開始させる手段を備えていることを特徴とする通信システム。
【発明の詳細な説明】
【０００１】
【発明の属する技術分野】
この発明は、カメラ側装置とカメラ側装置に映像信号伝送ケーブルを介して接続される通信機器とを備え、通信機器は、カメラ側装置から映像信号ケーブルに送出される映像信号の垂直ブランキング期間内の所定の連続する複数の水平期間それぞれに通信データを重畳することによって、カメラ側装置に通信データを送信する通信システムに関する。
【０００２】
【従来の技術】
監視カメラ、コントローラ等を備えた監視カメラシステムにおいて、監視カメラとコントローラとの間の通信がＲＳ−４８５（ＥＩＡ６４８５規格）に基づいて行なわれるものがある。さらに、このような監視カメラシステムにおいて、監視カメラとコントローラとの間において、通信データが映像データを伝送する同軸ケーブルに重畳されて送信されるものがある。
【０００３】
このような監視カメラシステムにおいては、通信データは映像信号の垂直ブランキング期間に挿入されるが、映像信号が送られる方向と逆の方向に通信データを送る場合には、映像信号に対して通信データの遅延が起こり、通信データが映像信号の次の同期信号にかかってしまうおそれがある。
【０００４】
従来においては、通信データが映像信号の次の同期信号にかかってしまうと、後述するように、通信データを誤検出するおそれがあるので、通信データが映像信号の次の同期信号にかからない程度の遅延しか許容されなかったため、監視カメラとコントローラとを結ぶケーブルの長さとしては５００ｍが限界であった。
【０００５】
従来の通信データの読み取り方法について説明する。図４（ａ）に示すように、水平ライン（水平期間）”１４”と、水平ライン”１５”のブランキング期間に、通信データＤｂ１と通信データＤｂ２とが重畳されているものとする。
【０００６】
従来においては、水平ライン”１４”の水平同期信号を検出した後、所定時間ｘ経過後に通信データＤｂ１のデコードを開始する。そして、通信データＤｂ１のデコードが終了した後において、次の水平同期信号（水平ライン”１５”の同期信号）を検出してから所定時間ｘ経過後に次の通信データＤｂ２のデコードを開始する。
【０００７】
映像信号に対して通信データの遅延が起こり、図４（ｂ）に示すように、各通信データＤｂ１、Ｄｂ２が映像信号の次の水平同期期間に跨がるようになったとする。
【０００８】
この場合にも、水平ライン”１４”の水平同期信号を検出してから所定時間ｘ経過後に通信データＤｂ１のデコードを開始する。そして、通信データＤｂ１のデコードが終了した後において、次の水平同期信号を検出してから所定時間ｘ経過後に次の通信データのデコードを開始する。
【０００９】
しかしながら、通信データＤｂ１が水平ライン”１５”の期間に跨がっているため、通信データＤｂ１のデコードが終了した後に、検出される水平同期信号は水平ライン”１６”に対する水平同期信号である。したがって、この場合には、水平ライン”１６”に対する水平同期信号が検出されてから所定時間ｘ経過後に次の通信データのデコードが開始されることになり、通信データＤｂ２が正常にデコードされなくなる。
【００１０】
【発明が解決しようとする課題】
この発明は、カメラ側装置と通信機器とを接続するケーブルの長さの限界を大きくすることが可能となる通信システムを提供することを目的とする。
【００１１】
【課題を解決するための手段】
この発明による通信システムは、カメラ側装置とカメラ側装置に映像信号伝送ケーブルを介して接続される通信機器とを備え、通信機器は、カメラ側装置から映像信号ケーブルに送出される映像信号の垂直ブランキング期間内の所定の連続する複数の水平期間それぞれに通信データを重畳することによって、カメラ側装置に通信データを送信する通信システムにおいて、
カメラ側装置は、映像信号伝送ケーブルに送出されている映像信号の同期信号を検出する同期信号検出手段、通信データをデコードするためのデコード手段、同期信号検出手段によって通信データが重畳される最初の水平期間に対する水平同期信号が検出されてから所定時間経過後に、デコード手段に最初の通信データのデコードを開始させる手段、および２番目以降の通信データについては、その前の通信データのデコードを開始した時点から、上記映像信号の１水平期間が経過した後に、デコード手段にデコードを開始させる手段を備えていることを特徴とする。
【００１２】
【発明の実施の形態】
以下、図面を参照して、この発明の実施の形態について説明する。
【００１３】
図１は、監視カメラシステムにおける監視カメラとコントローラとを示している。
【００１４】
監視カメラ（カメラ側装置）１とコントローラ（通信機器）２とは、同軸ケーブル（映像信号伝送ケーブル）３によって接続されている。監視カメラ１とコントローラ２との間の通信は、ＲＳ−４８５（ＥＩＡ６４８５規格）に基づいて行なわれる。
【００１５】
監視カメラ１は、映像信号を出力するためのドライバＩＣ１１、映像信号に通信データを挿入するための挿入回路１２、同軸ケーブル３に伝送されている信号をデジタル信号に変換してマイコン１５に送る読取回路１３、同軸ケーブル３に出力されている映像信号の同期信号を検出する同期信号検出回路１４、およびマイコン１５を備えている。マイコン１５は、挿入回路１２に対してコントローラ２側に送るための通信データを与えたり、同期信号検出回路１４の出力および読取回路１３の出力に基づいてコントローラ２側から監視カメラ１側に送られてきた通信データをデコードしたりする機能を備えている。この例では、マイコン１５が、デコード手段とデコード手段を制御する手段とを備えている。
【００１６】
コントローラ２は、通信データを映像信号に挿入するための挿入回路２１、同軸ケーブル３に伝送されている信号をデジタル信号に変換してマイコン２３に送る読取回路２２、同軸ケーブル３に出力されている映像信号の同期信号を検出する同期信号検出回路２４およびマイコン２３を備えている。マイコン１３は、挿入回路２１に対して監視カメラ１側に送るための通信データを与えたり、同期信号検出回路２４の出力および読取回路２２の出力に基づいて監視カメラ１側からコントローラ２側に送られてきた通信データをデコードしたりする機能を備えている。なお、図示していないが、監視カメラ１からコントローラ２に送られてきた映像信号は、コントローラ２を介して例えばモニタ、録画装置等に送られる。
【００１７】
図２は、映像信号に重畳された通信データを示している。
【００１８】
監視カメラ１からコントローラ２に対して送信される通信データＤａ１、Ｄａ２は、この例では、映像信号の垂直ブランキング期間内の水平ライン”１０”および”１１”に挿入されている。この例では、通信データＤａ１、Ｄａ２は、合わせて１バイトである。
【００１９】
一方、コントローラ２から監視カメラ１に対して送信される通信データＤｂ１、Ｄｂ２は、この例では、映像信号の垂直ブランキング期間内の水平ライン”１４”および”１５”に挿入されている。この例では、通信データＤｂ１、Ｄｂ２は、合わせて１バイトである。
【００２０】
監視カメラ１からコントローラ２に対して送信される通信データＤａ１、Ｄａ２は、映像信号が送信される方向と同じ方向に送信されるので、遅延が起こらないため、コントローラ２内のマイコン２３は、従来と同じ方法で通信データをデコードする。つまり、水平ライン”１０”の水平同期信号を検出してから所定時間経過後に通信データ１ａのデコードを開始し、水平ライン”１１”の水平同期信号を検出してから所定時間経過後に通信データ２ａのデコードを開始する。
【００２１】
一方、コントローラ２から監視カメラ１に対して送信される通信データＤｂ１、Ｄｂ２は、映像信号が送信される方向と逆方向に送信されるので、図３に示すように、遅延が起こる可能性がある。そこで、監視カメラ１内に設けられたマイコン１５は、次のようにして通信データをデコードする。
【００２２】
同期信号検出回路１４によって検出される垂直同期信号および水平同期信号と、読取回路１３の出力とがマイコン１５に送られる。マイコン１５は、水平ライン”１４”の水平同期信号が入力されると、所定時間ｘ経過後（時点ｔ１）に通信データ（この場合には通信データＤｂ１）のデコードを開始する。
【００２３】
マイコン１５は、時点ｔ１でデコードを開始してから、さらに予め定められた１水平期間（１Ｈ）が経過したときに（時点ｔ２）、つまり、水平ライン”１４”の水平同期信号が入力されてから時間（ｘ＋１Ｈ）が経過したときに、通信データ（この場合には通信データＤｂ２）のデコードを開始する。したがって、通信データＤｂ２を正常にデコードできるようになる。
【００２４】
上記実施の形態によれば、コントローラ２から監視カメラ１に送信される通信データが映像信号に対して遅延しても、監視カメラ１側において、コントローラ２から送信された通信データを正確にデコードできる。このため、監視カメラ１とコントローラ２とを接続するケーブル３の長さの限界を大きくすることが可能となる。
【００２５】
【発明の効果】
この発明によれば、カメラ側装置と通信機器とを接続するケーブルの長さの限界を大きくすることが可能となる。
【図面の簡単な説明】
【図１】監視カメラシステムにおける監視カメラとコントローラとを示すブロック図である。
【図２】映像信号に重畳された通信データを示す模式図である。
【図３】コントローラ２から監視カメラ１に対して送信される通信データに遅延が起こった場合における通信データと映像信号との関係を示す模式図である。
【図４】従来の通信データのデコード方法を説明するための模式図である。
【符号の説明】
１  監視カメラ（カメラ側装置）
２  コントローラ（通信機器）
３  同軸ケーブル
１１  ドライバＩＣ
１３  読取回路
１４  同期信号検出回路
１５  マイコン
【図１】
0003806633.tif 000002
【図２】
0003806633.tif 000003
【図３】
0003806633.tif 000004
【図４】
0003806633.tif 000005